(57)【要約】      （修正有）【課題】金属装飾メッシュが吊り下げて取り付けられた後に表面が平滑でない問題を解決した金属メッシュ構造を提供する。【解決手段】第一側辺である吊下端と、吊下端に対向する第二側辺である取付端とを備える金属メッシュ１００と、金属メッシュ１００の取付端を固定支持するように構成される取付スパイラルリング１０１と、金属メッシュ１００の吊下端に固定接続され、金属メッシュ１００が吊下状態にある時に金属メッシュ１００を垂直面内に位置させるように構成される吊下スパイラルリング１０２と、を備える。【選択図】図５
0003223290.tif 000002
【実用新案登録請求の範囲】
【請求項１】
第一側辺である吊下端と、前記吊下端に対向する第二側辺である取付端とを備える金属メッシュと、
前記金属メッシュの取付端を固定支持するように構成される取付スパイラルリングと、
前記金属メッシュの吊下端に固定接続され、前記金属メッシュが吊下状態にある時に前記金属メッシュを垂直面内に位置させるように構成される吊下スパイラルリングと、を備える金属装飾メッシュ構造。
【請求項２】
前記吊下スパイラルリングの外径が６〜１８ｍｍの範囲内にある、請求項１に記載の金属装飾メッシュ構造。
【請求項３】
前記吊下スパイラルリングに貫通された１本の丸棒をさらに備える、請求項１に記載の金属装飾メッシュ構造。
【請求項４】
前記丸棒の少なくとも一端が前記吊下スパイラルリングの端部に溶接固定される、請求項３に記載の金属装飾メッシュ構造。
【請求項５】
前記金属メッシュは、製造中に所定の長さごとに水平方向において前記第一表面と第二表面とを反転させる、請求項１から４のいずれか１項に記載の金属装飾メッシュ構造。
【請求項６】
前記所定の長さが３０〜６０ｃｍの範囲内にある、請求項５に記載の金属装飾メッシュ構造。
【請求項７】
前記金属メッシュの厚さが５〜１５ｍｍの範囲内にある、請求項１または６に記載の金属装飾メッシュ構造。
【請求項８】
前記金属メッシュは、螺旋状の金属線で組み立てられた金属メッシュである、請求項１または７に記載の金属装飾メッシュ構造。
【請求項９】
前記金属メッシュは、複数の菱形メッシュを有する金属メッシュである、請求項８に記載の金属装飾メッシュ構造。
【請求項１０】
前記金属メッシュの縁部は、溶接または折曲げ処理がなされる、請求項８または９に記載の金属装飾メッシュ構造。
【考案の詳細な説明】
【技術分野】
【０００１】
本開示は、金属装飾メッシュに関し、例えば高平坦度の金属装飾メッシュ構造に関する。
【背景技術】
【０００２】
現代の装飾産業の発展に伴って、ますます多くの金属装飾は建築に用いられる。例えば、金属ドアカーテン及び窓カーテンを若干採用してオフィス場所に用いられ、遮断用または装飾用の金属メッシュを吊り下げるような大型施設が存在し、これら金属装飾は、他の材質のものよりさらなる質感及び光沢度を有し、且つ優れた耐久性を具備し、人々から高評を得た。
【０００３】
しかしながら、上記金属装飾を吊り下げ遮断用または装飾用にする場合、金属の内部応力の作用のため、または生産包装や輸送中に変形しやすいため、金属装飾メッシュを取り付けて吊り下げた後に曲面が生成しやすい。
【０００４】
図１、図２を参照する。図１は従来技術の金属装飾メッシュを示す正面模式図であり、図２は吊り下げられた従来技術の金属装飾メッシュを示す側面図である。図に示すように、該金属装飾メッシュ１は、吊り下げられた後に曲面となり、表面が平坦でない。
【０００５】
これに鑑み、上記課題を解決するための金属装飾メッシュ構造を開発する必要がある。
【考案の概要】
【考案が解決しようとする課題】
【０００６】
それによって、本開示は、従来技術における金属装飾メッシュが吊り下げて取り付けられた後に表面が平坦でないという問題を解決した金属装飾メッシュ構造を提供する。
【課題を解決するための手段】
【０００７】
本実施例の金属装飾メッシュ構造は、第一側辺である吊下端と、前記吊下端に対向する第二側辺である取付端とを備える金属メッシュと、前記金属メッシュの取付端を固定支持するように構成される取付スパイラルリングと、前記金属メッシュの吊下端に固定接続され、前記金属メッシュが吊り下げ状態にある時に前記金属メッシュを垂直面内に位置させるように構成される吊下スパイラルリングと、を備える。
【０００８】
オプションとして、前記吊下スパイラルリングの外径が６〜１８ｍｍの範囲内にある。
【０００９】
オプションとして、前記吊下スパイラルリングに貫通された１本の丸棒をさらに備える。
【００１０】
オプションとして、前記丸棒の少なくとも一端が前記吊下スパイラルリングの端部に溶接固定される。
【００１１】
オプションとして、前記金属メッシュは、製造中に所定の長さごとに水平方向において前記第一表面と第二表面とを反転させる。
【００１２】
オプションとして、前記所定の長さが３０〜６０ｃｍの範囲内にある。
【００１３】
オプションとして、前記金属メッシュの厚さが５〜１５ｍｍの範囲内にある。
【００１４】
オプションとして、前記金属メッシュは、螺旋状の金属線で組み立てられた金属メッシュである。
【００１５】
オプションとして、前記金属メッシュは、複数の菱形メッシュを有する金属メッシュである。
【００１６】
オプションとして、前記金属メッシュの縁部は、溶接または折曲げ処理がなされる。
【００１７】
従来技術に比べると、本実施例の金属装飾メッシュ構造は、金属装飾メッシュの吊下端に吊下スパイラルリングを固定し、吊下スパイラルリングの重力により金属メッシュを引っ張ることができる。さらに前記吊下スパイラルリング内に丸棒を増加させて重量を増加させ、金属メッシュへの吊り下げ引張作用を増加させ、それにより金属内部応力を除去し、金属メッシュの表面の平坦を達成する。
【図面の簡単な説明】
【００１８】
【図１】従来技術の金属装飾メッシュを示す正面模式図である。
【図２】吊り下げられた従来技術の金属装飾メッシュを示す側面図である。
【図３】第一実施例の金属装飾メッシュ構造を示す構造模式図である。
【図４】第一実施例の金属装飾メッシュ構造を示す構造側面図である。
【図５】第二実施例の金属装飾メッシュ構造を示す構造模式図である。
【考案を実施するための形態】
【００１９】
図３は、第一実施例の金属装飾メッシュ構造を示す構造模式図であり、図４は、第一実施例の金属装飾メッシュ構造を示す構造側面図である。
【００２０】
図３と図４を参照して、本実施例の金属装飾メッシュ構造は、第一側辺である吊下端１２０と、前記吊下端１２０に対向する第二側辺である取付端１１０とを備える金属メッシュ１００と、前記金属メッシュ１００の取付端１１０に固定される取付スパイラルリング１０１と、前記金属メッシュ１００の吊下端１２０に固定され、前記金属メッシュ１００が吊下状態にある時に前記金属メッシュ１００を垂直面内に位置させることに用いられる吊下スパイラルリング１０２と、を備える。
【００２１】
オプションとして、前記取付端１１０は、前記取付スパイラルリング１０１によって1本の丸棒に嵌設されることで固定支持される。
【００２２】
従来技術に比べると、本実施例の金属装飾メッシュ構造によれば、金属メッシュ１００の吊下端１２０に吊下スパイラルリング１０２が固定され、吊下スパイラルリング１０２の重力により金属メッシュ１００を引っ張ることができ、それにより金属の内部応力を除去し、金属メッシュ１００の表面を平坦化させる。
【００２３】
オプションとして、前記金属装飾メッシュ構造表面は、該金属装飾構造の表面がきれいにし、且つ良好な光沢度を有するように、酸洗及びバフ研磨処理がなされる。
【００２４】
オプションとして、前記金属メッシュ装飾構造の材質は、異なる環境で該構造を使用できるようにし、且つ長寿命を有するようにするために、ＳＵＳ３０４またはＳＵＳ３１６（米国ＡＳＴＭ（米国材料と試験協会、Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）の規格）から選ばれる。
【００２５】
オプションとして、前記吊下スパイラルリング１０２の外径が６〜１８ｍｍの範囲内にあり、前記金属メッシュ１００の厚さが５〜１５ｍｍ範囲内にある。本実施例において、前記吊下スパイラルリング１０２の外径が１１ｍｍであり、前記金属メッシュ１００の厚さが６．５ｍｍである。
【００２６】
オプションとして、前記金属メッシュ１００は、製造中に所定の長さ（金属メッシュの取付け方向を幅とし、吊り下げ方向を長さとする）ごとに正反面を反転させ、前記所定の長さが３０〜６０ｃｍの範囲であってもよい。本実施例の金属メッシュ１００の長さが６５ｃｍであり、幅が２．８ｍであり、所定の長さが３５ｃｍであり、生産中に反転されることで、吊り下げられた金属メッシュ１００の一部の金属内部応力による一方向への湾曲を除去する。
【００２７】
オプションとして、前記金属メッシュ１００は、螺線で組み立てられた金属メッシュであるが、もちろん、他の金属メッシュであってもよい。好ましくは、前記金属メッシュ１００は複数の菱形メッシュを有する金属メッシュであり、縁部は溶接（本実施例は溶接）または折曲げ処理がなされる。前記螺線は螺旋状の金属線である。
【００２８】
図５は、第二実施例の金属装飾メッシュ構造を示す構造模式図である。図５に示すように、前記吊下スパイラルリング１０２に１本の丸棒１０３が貫通され、この丸棒１０３の外径が前記吊下スパイラルリング１０２の内径寸法に近く、前記吊下スパイラルリング１０２の内径寸法とこの丸棒１０３の外径寸法との差が所定の閾値より小さいようにしてもよい。例えば、吊下スパイラルリング１０２の外径が１８ｍｍ、内径が１５ｍｍである時、丸棒１０３の外径を１２ｍｍとする。丸棒１０３と吊下スパイラルリング１０２は固定しておらず、顧客が組み立てた後に溶接してもよい。前記丸棒１０３は円柱体であり、金属材料で製造されてもよい。
【００２９】
オプションとして、丸棒１０３と吊下スパイラルリング１０２が互いに脱落することを回避するために、前記丸棒１０３の少なくとも一端が前記吊下スパイラルリング１０２の端部に溶接固定される。一端溶接を採用して加工時間と人力を節約する。もちろん、固定効果をより高くするために、両端溶接を採用してもよい。スポットを一つとするにより、工程を減少してもよいが、もちろん、結合固定の効果をよりよくさせるために、複数のスポットによる溶接を採用してもよい。
【００３０】
これから分かるように、本実施例の金属装飾メッシュ構造は、金属メッシュ１００の吊下端１２０に吊下スパイラルリング１０２を固定しているので、吊下スパイラルリング１０２の重力により金属メッシュ１００を引っ張ることができる。該実施例において、金属内部応力を除去し、金属メッシュ１００の表面の平坦効果を達成するために、前記吊下スパイラルリング１０２内に丸棒１０３を追加して重量を増加させ、金属メッシュ１００への吊り下げ引張作用を増加させてもよい。
【産業上の利用可能性】
【００３１】
本考案による金属装飾メッシュ構造は、金属メッシュ１００の吊下端１２０に吊下スパイラルリング１０２が固定されているため、吊下スパイラルリング１０２の重力により金属メッシュを引っ張ることができ、これにより金属内部応力を除去し、金属メッシュ１００の表面の平坦効果を達成する。
【図１】
0003223290.tif 000003
【図２】
0003223290.tif 000004
【図３】
0003223290.tif 000005
【図４】
0003223290.tif 000006
【図５】
0003223290.tif 000007
【手続補正書】
【提出日】平成30年12月12日(2018.12.12)
【手続補正１】
【補正対象書類名】実用新案登録請求の範囲
【補正対象項目名】全文
【補正方法】変更
【補正の内容】
【実用新案登録請求の範囲】
【請求項１】
取付端と吊下端とを備え、取付時に前記取付端が支持され、前記吊下端が重力で吊り下げられる金属メッシュと、
前記金属メッシュの前記取付端に固定される取付スパイラルリングと、
前記金属メッシュの前記吊下端に固定され、１本の丸棒に嵌設される吊下スパイラルリングと、を備える金属装飾メッシュ構造。
【請求項２】
前記吊下スパイラルリングの外径が６〜１８ｍｍである、請求項１に記載の金属装飾メッシュ構造。
【請求項３】
前記丸棒の少なくとも一端が前記吊下スパイラルリングの端部に溶接固定される、請求項１または２に記載の金属装飾メッシュ構造。
【請求項４】
前記金属メッシュは、製造中に、所定の長さごとに表裏が反転される、請求項１から３のいずれか１項に記載の金属装飾メッシュ構造。
【請求項５】
前記所定の長さが３０〜６０ｃｍである、請求項４に記載の金属装飾メッシュ構造。
【請求項６】
前記金属メッシュの厚さが５〜１５ｍｍである、請求項１から５のいずれか１項に記載の金属装飾メッシュ構造。
【請求項７】
前記金属メッシュは、螺旋状の金属線で組み立てられた金属メッシュである、請求項１から６のいずれか１項に記載の金属装飾メッシュ構造。
【請求項８】
前記金属メッシュは、螺旋状の金属線で組み立てられた菱形の金属メッシュである、請求項１から６のいずれか１項に記載の金属装飾メッシュ構造。
【請求項９】
前記金属メッシュの縁部は、溶接又は折曲げ処理がなされる、請求項１から８のいずれか１項に記載の金属装飾メッシュ構造。